(57)【要約】【課題】撮影された画像の姿勢情報を簡単な操作で設定可能な撮像装置を提供する。【解決手段】縦横比が異なる画像を撮影出来る撮像装置において、撮影した画像を再生する再生手段と、撮像装置の保持姿勢を検知する姿勢検知手段と、撮像装置の姿勢に応じて画像の方向を制御する制御手段と、またその制御のＯＮ、ＯＦＦを切替える処理手段と、画像に前記姿勢検知手段により検知された姿勢情報を付加する姿勢情報付加手段と、姿勢情報の変更を決定する決定指示部材を有し、画像の姿勢情報の変更を撮像装置の姿勢と決定指示部材の操作で行う事を特徴とする撮像装置。【選択図】図６
2016025483.tif 000002
【特許請求の範囲】
【請求項１】
縦横比が異なる画像を撮影出来る撮像装置において、撮影した画像を再生する再生手段と、撮像装置の保持姿勢を検知する姿勢検知手段と、撮像装置の姿勢に応じて画像の方向を制御する制御手段と、またその制御のＯＮ、ＯＦＦを切替える処理手段と、画像に前記姿勢検知手段により検知された姿勢情報を付加する姿勢情報付加手段と、姿勢情報の変更を決定する決定指示部材を有し、画像の姿勢情報の変更を撮像装置の姿勢と決定指示部材の操作で行うことを特徴とする撮像装置。
【請求項２】
画像の姿勢情報を変更するモードに入ったと判断する判断手段を備え、画像の姿勢情報を変更するモードに入ったと判断された場合は、撮像装置の姿勢に応じた画像の回転は強制的にＯＦＦにする制御手段を含むことを特徴とする請求項１に記載の撮像装置。
【請求項３】
撮像装置の姿勢に連動した画像の回転がＯＦＦであると判断された場合は、画像の姿勢情報の変更を撮像装置の構え姿勢と決定指示部材の操作で行い、撮像装置姿勢に連動した画像の回転がＯＮになっている場合は、画像の姿勢情報の変更を操作部材で画像を回転させ、決定指示部材の操作で画像の姿勢の決定する制御手段を含むことを特徴とする請求項１に記載の撮像装置。
【請求項４】
撮像装置の姿勢に応じた画像の回転がＯＦＦであると判断された場合は、画像の姿勢情報の変更を撮影後毎のプレビュー時でも行えることを特徴とする請求項１に記載の撮像装置。
【請求項５】
画像を表示している画像表示部上に現在の撮像装置の天地方向を示す表示手段を備え、画像の姿勢情報の設定時にどの方向の画像の姿勢情報が設定されるのかが確認可能なことを特徴とする請求項１に記載の撮像装置。
【請求項６】
縦方向、横方向以外の第三の姿勢情報を設定する設定手段を有し、第三の姿勢情報は姿勢情報の設定を一時保留すると言う意味の姿勢情報であって、第三の姿勢情報を画像に付加する処理手段を備えることを特徴とする請求項１に記載の撮像装置。
【請求項７】
記録部に保存されている第三の姿勢情報の付いた画像のみを呼び出す処理手段を備え、更に呼び出された画像を一括で姿勢情報の設定が可能な処理手段を備えたことを特徴とする請求項１に記載の撮像装置。
【請求項８】
第三の姿勢情報が設定されている画像が撮像装置の画像表示部もしくは撮像装置と接続している外部表示装置表示に表示された場合は、ユーザーへ姿勢情報を設定するように警告表示が出ることを特徴とする請求項１に記載の撮像装置。
【発明の詳細な説明】
【技術分野】
【０００１】
本発明は、撮像装置により撮影された画像の表示方法に関し、特に撮像装置の姿勢情報に基づいた画像表示方法の制御に関するものである。
【背景技術】
【０００２】
近年の電子カメラ等の撮像装置は液晶パネル等の表示装置を備え、電子ファインダとして撮影画像や、記録媒体より再生した画像を表示することが可能となっている。これらの電子カメラの画角、すなわち撮影画像の縦横比は１対１ではなく、撮影者が被写体に合わせて、カメラを構える向きを縦または横に変えて撮影するのが普通である。
【０００３】
したがって、撮影時のカメラの姿勢が横位置（正位置）でない画像をカメラが横位置の姿勢で再生した場合、表示装置には横位置ではない画像が表示されてしまうことになる。そこで、特許文献1では撮影時のカメラの姿勢情報を画像とともに記録し、画像再生時には前記姿勢情報を参照し、横位置でなく回転している場合には、画像処理によって画像を回転させて表示するというものがあった。
【０００４】
また、画像の姿勢情報を変更する場合、従来は姿勢情報の変更モード等に入り、姿勢情報を変更したい画像を表示させたのちに、変更したい方向のボタンの押し下げやレバーの傾倒等で画像の回転や天地方向指示等を行い、最後に決定指示をボタン押し下げ等の操作で行っていた。
【先行技術文献】
【特許文献】
【０００５】
【特許文献１】特開２００１−４５３５４号公報
【発明の概要】
【発明が解決しようとする課題】
【０００６】
しかしながら、このような従来の電子カメラ等の撮像装置によれば、撮影時のカメラの姿勢情報を常に画像とともに記録してしまうため、画像再生時には撮影者の意思とは関係なく、自動的に姿勢情報を参照した画像の回転及び画像処理を行い表示されてしまう。
【０００７】
被写体によっては天地の区別が判別しにくい場合や、水中撮影やカメラの姿勢を検出する姿勢検出センサの誤検出しやすい姿勢で撮影した場合等は、ユーザーの意図と画像の天地方向が異なってしまう場合がある。
【０００８】
上記の場合、画像再生を行ってもユーザーが意図した天地方向に表示されず、更には画面のアスペクト比の関係で縮小表示されて見づらくなってしまう場合があった。そこで撮影者は所望の天地方向に画像を表示させるべく姿勢情報を変更行う必要が生じる。
【０００９】
従来技術ではボタンの操作等で画像を回転させるために操作プロセスが長くなってしまい、また、多量の画像の姿勢情報を変更する場合等は操作が煩雑になってしまうといった問題があった。
【００１０】
そこで本発明の目的は、撮影された画像を全画面表示で確認しながら、且つ、姿勢情報を簡単な操作で設定することを可能とした撮像装置を提供することである。
【課題を解決するための手段】
【００１１】
上記目的を達成するために本発明の構成は、縦横比が異なる画像を撮影出来る撮像装置において、撮影した画像を再生する再生手段と、撮像装置の保持姿勢を検知する姿勢検知手段と、撮像装置の姿勢に応じて画像の方向を制御する制御手段と、またその制御のＯＮ、ＯＦＦを切替える処理手段と、画像に前記姿勢検知手段により検知された姿勢情報を付加する姿勢情報付加手段と、姿勢情報の変更を決定する決定指示部材を有し、画像の姿勢情報の変更を撮像装置の姿勢と決定指示部材の操作で行うことを特徴とする。
【発明の効果】
【００１２】
本発明によれば、簡単な操作で画像の姿勢情報を変更することが可能な撮像装置を提供することができる。
【図面の簡単な説明】
【００１３】
【図１】本発明の実施形態に係る撮像装置の回路構成を示すブロック図
【図２】同実施形態に係る通常撮影モード時の処理内容を示すフローチャート
【図３】同実施形態に係る通常再生モード時の処理内容を示すフローチャート
【図４】同実施形態に係る、撮像装置の外観、及び縦画像再生時の画像表示状態を例示する図
【図５】同実施形態に係る、撮像装置の外観、及び横画像再生時の画像表示状態を例示する図
【図６】同実施形態に係る姿勢情報変更モード時の処理内容を示すフローチャート
【発明を実施するための形態】
【００１４】
以下に、本発明の好ましい実施の形態を、図面に基づいて詳細に説明する。図１は本発明の実施形態に関わる撮像装置の回路構成を示すブロック図である。同図において、１００は撮像装置である。１０は被写体に対しての合焦位置関係を持つズームレンズ及びフォーカスレンズからなる撮影レンズ、１２は絞り機能を備えるシャッター、１４は光電変換を行う撮像素子、１６は撮像素子１４のアナログ信号出力をディジタル信号に変換するＡ／Ｄ変換器である。
【００１５】
１８は、撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。２０は画像処理回路であり、Ａ／Ｄ変換器１６からのデータ或いはメモリ制御回路２２からのデータに対して所定の画素補間処理や色変換処理を行う。
【００１６】
また、画像処理回路２０においては、撮像した画像データを用いて所定の演算処理を行い、得られた演算結果に基づいてシステム制御回路５０が露光制御手段４０、測距制御手段４２に対して制御を行う。
【００１７】
前記制御にてＴＴＬ（スルー・ザ・レンズ）方式のＡＦ（オートフォーカス）処理、ＡＥ（自動露出）処理、ＥＦ（フラッシュプリ発光）処理等を行っている。
【００１８】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１９】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。３０は撮影した静止画像や動画像を格納するためのメモリであり、所定枚数の静止画像や所定時間の動画像を格納するのに十分な記憶量を備えている。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２０】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８は、システム制御回路５０の指示により任意に表示をＯＮ／ＯＦＦすることが可能であり、表示をＯＦＦにした場合には撮像装置１００の電力消費を大幅に低減することが出来る。
【００２１】
これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００２２】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２３】
４０は絞り機能を備えるシャッター１２を制御する露光制御手段であり、接続部４８、４０２を介してフラッシュ４０４と連携することによりフラッシュ調光機能も有するものである。
【００２４】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。４０４はフラッシュであり、ＡＦ補助光の投光機能、フラッシュ調光機能も有する。
【００２５】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２６】
５０は画像処理装置１００全体を制御するシステム制御回路、５２はシステム制御回路５０の動作用の定数、変数、プログラム等を記憶するメモリである。５４はシステム制御回路５０でのプログラムの実行に応じて、動作状態を示すＬＥＤ、発音素子等の組み合わせにより構成される表示部である。５６は電気的に消去・記録可能な不揮発性メモリであり、例えばＥＥＰＲＯＭ等が用いられる。
【００２７】
６０、６１、６２、６４、６６及び７０は、それぞれシステム制御回路５０の各種の動作指示を入力するための操作手段であり、スイッチやダイアル、タッチパネル、視線検知によるポインティング、音声認識装置等の単数或いは複数の組み合わせで構成される。
【００２８】
次に前記実施形態の操作手段について説明する。６０は撮像装置１００の電源のＯＮ／ＯＦＦを行う電源スイッチである。６１は撮影の露出、ホワイトバランス、フォーカス等の撮影に関わる制御を全て自動で行うオート撮影モード、前記撮影に関わる制御を手動で行うことができるマニュアル撮影モード、動画撮影を行う動画撮影モード、再生モード等を選択するモードダイアルである。
【００２９】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。６４はシャッタースイッチＳＷ２で、不図示のシャッターボタンの操作完了でＯＮとなる。
【００３０】
そして撮像素子1４から読み出した信号をＡ／Ｄ変換器１６、メモリ制御回路２２を介してメモリ３０に画像データを書き込む露光処理、画像処理回路２０やメモリ制御回路２２での演算を用いた現像処理を行う。その後、メモリ３０から画像データを読み出し、圧縮・伸長回路３２で圧縮を行い、記録媒体２００或いは２１０に画像データを書き込む記録処理という一連の処理の動作開始を指示する。
【００３１】
６６は画像表示ＯＮ／ＯＦＦスイッチで、画像表示部２８のＯＮ／ＯＦＦを設定することが出来る。この機能により、光学ファインダ１０４を用いて撮影を行う際に、ＴＦＴＬＣＤ等から成る画像表示部への電流供給を遮断することにより、省電力を図ることが可能となる。
【００３２】
７０は各種ボタンやダイアル、タッチパネル等からなる操作部で、メニューボタン、セットボタン、画像再生ボタン、露出補正ボタン、測距点選択ボタン、フラッシュ設定ボタン、単写／連写／セルフタイマー切り替えボタン、ダイレクト印刷ボタン、等がある。
【００３３】
８０は電源制御手段で、電池検出回路、ＤＣ−ＤＣコンバータ、通電するブロックを切替えるスイッチ回路等により構成されている。８０の電源制御手段は電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。８２、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００３４】
９０及び９４はメモリカードやハードディスク等の記録媒体とのインターフェース、９２及び９６はメモリカードやハードディスク等の記録媒体と接続を行うコネクタ、９８はコネクタ９２或いは９６に記録媒体２００或いは２１０が装着されているか否かを検知する記録媒体着脱検知手段である。
【００３５】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。
【００３６】
さらに、９０及び９４、そして９２及び９６等を各種のカード規格準拠品で構成した場合、規格に準拠した各種通信カードを接続することで、他のコンピュータやプリンタ等の周辺機器との間で画像や画像に付属した管理情報を転送し合うことが出来る。
【００３７】
１０２は、画像処理装置１００のレンズ１０を含む撮像部を覆う事により、撮像部の汚れや破損を防止するバリアである保護手段である。
【００３８】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示等が設置されている。
【００３９】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信手段１１０により画像処理装置１００を他の機器と接続するコネクタ或いは無線通信の場合はアンテナである。１１４は撮像装置１００の姿勢を検出する姿勢検出部である。姿勢検出部は撮像装置１００の縦横等の姿勢を検出してシステム制御回路５０に知らせる。
【００４０】
２００、２１０はメモリカードやハードディスク等の記録媒体である。記録媒体２００、２１０は、半導体メモリや磁気ディスク等から構成される記録部２０２及び２１２、撮像装置１００とのインターフェース２０４及び２１４、撮像装置１００と接続を行うコネクタ２０６、２１６を備えている。
【００４１】
次に前記実施形態の動作について説明する。なお、ここでは前記撮像素子１４より得られ、記録部２０２或いは２１２に記録される画像データのアスペクト比（縦横比）と、前記表示部２８で表示可能な画像のアスペクト比は共に例えば３：４で同一であるものとする。つまり、画像データの撮影時の向きを考えなければ画像データを表示部２８の表示画面全域を使用して表示することが可能であるものとする。
【００４２】
図２は、基本モードとして撮影モードが選択されている状態で、主としてシステム制御回路５０が実行する動作プログラムに基づいた処理内容を示すフローチャートである。まず、シャッタースイッチ６４が押し下げ操作をされたか否かを判断し（ステップＡ０１）、シャッタースイッチ６４が押圧操作されたと判断した時点で、直ちに撮影処理を実行する（ステップＡ０２）。このとき、姿勢検出部１１４からの出力により撮影時の撮像装置の姿勢が縦位置、横位置（正位置）のどちらなのかを判断する（ステップＡ０３）。
【００４３】
縦位置であったと判断した場合、システム制御回路５０は撮影により得た画像データに縦位置撮影を示す姿勢情報を関連付けて記録部２０２もしくは２１２に記録する（ステップＡ０５）。また、前記ステップＡ０３で撮影が横位置で撮影がなされたと判断された場合は、システム制御回路５０は撮影により得た画像データに横位置撮影を示す姿勢情報を関連付けて記録部２０２もしくは２１２に記録する（ステップＡ０４）。
【００４４】
以上で一連の撮影に関する処理を一旦終了し、次の撮影に備えるべく、再び前記ステップＡ０１からの処理に戻る。このように、撮影時にはその撮影位置を示す姿勢情報が画像データに関連付けられて記録部２０２もしくは２１２に記録されることとなる。
【００４５】
なお、前記以外に縦位置撮影を示す姿勢情報と横位置撮影を示す姿勢情報のうちいずれか一方のみ画像データに関連付けて記録するようにしてもよい。このように構成した場合でも画像データが横位置撮影により得られた画像データなのか、それとも縦位置撮影により得られた画像データなのかを判別することができる。
【００４６】
次に前記のようにして撮影位置を示す姿勢情報を関連付けて記録した画像データを記録部２０２もしくは２１２から読出して表示部２８で再生表示させる場合の動作について説明する。図３は６０、６１、６２、６４、６６、７０及び２８に表示されるメニュー項目等がユーザーにより操作され、通常再生モードが選択されている状態で、主としてシステム制御回路５０が実行する動作プログラムに基づいた処理内容を示すものである。
【００４７】
再生モード開始当初では、記録部２０２もしくは２１２に記録されている画像データの中で最もデート情報が新しいものを選択する（ステップＡ１１）。その選択された画像データに縦、横どちらの姿勢情報が関連付けられているかにより、その画像が縦長画像であるか否かを判断する（ステップＡ１２）。
【００４８】
ここで、縦位置撮影を示す姿勢情報が関連付けられており、その画像データが縦長画像であった場合には、図４（Ａ）に示すように、画像データを９０°回転処理し、併せて画面枠内に入るように縮小して表示部２８の表示画面の中央部を使用して再生表示する（ステップＡ１４）。
【００４９】
また、ステップＡ１２で横位置撮影を示す姿勢情報が関連付けられており、その画像データが横長画像であった場合には、図５（Ａ）のように横位置撮影で得た画像を横位置に構えられた撮像装置１００の表示部２８の画面全域で再生表示する（ステップＡ１３）。
【００５０】
その後、画像を順送り再生するための十字キー７０ｃのキー操作がされたか否かを判断し（ステップＡ１５）、十字キー７０ｃの操作されたと判断した場合には、その操作内容に対応して表示部２８の画面をスクロール更新するべく新たな画像データを２００、２１０の記録媒体から選択した上で（ステップＡ１６）、上記ステップＡ１２からの処理に戻る。
【００５１】
次に前記のようにして撮影位置を示す姿勢情報を関連付けて記録した画像データを記録部２０２もしくは２１２から読み出して表示部２８で再生表示させ、更に撮影位置を示す姿勢情報の変更方法について説明する。図６は表示部２８に表示されるメニュー項目等がユーザーにより操作され、姿勢情報変更モードが選択されている状態で、主としてシステム制御回路５０が実行する動作プログラムに基づいた処理内容を示すフローチャートである。特に図６は撮像装置を横位置に保持した状態で操作を行う場合についての処理状態を示したものである。
【００５２】
姿勢情報変更モード開始当初にまず表示部２８に表示されるメニュー項目の中で撮像装置の姿勢に基づいた画像の回転がユーザーによってＯＮ、ＯＦＦのどちらに設定されているのかを判断する（ステップＡ２１）。前記設定がＯＮの場合は表示部２８に再生表示された画像データに縦、横どちらの姿勢情報が関連付けられているかにより、その画像が縦長画像であるか否かを判断する（ステップＡ２２）。
【００５３】
表示する画像が縦位置撮影を示す姿勢情報が関連付けられた縦長画像であり、且つ、姿勢検出部１１４が横位置の信号を出力していた場合は、図４（Ａ）に示すように、画像データを９０°回転処理し、併せて画面枠内に入るように縮小して表示部２８の表示画面の中央部を使用して再生表示する（ステップＡ２３）。
【００５４】
また、ステップＡ２２で横位置撮影を示す姿勢情報が関連付けられた横長画像であり、且つ、姿勢検出部１１４が横位置の信号を出力していた場合は、図５（Ａ）のように横位置撮影で得た画像を横位置に構えられた撮像装置１００の表示部２８の画面全域で再生表示する（ステップＡ２４）。
【００５５】
また、表示する画像が横位置撮影を示す姿勢情報が関連付けられた横長画像であり、且つ、姿勢検出部１１４が縦位置の信号を出力していた場合は、図５（Ｂ）に示すように画像データを９０°回転処理し、併せて画面枠内に入るように縮小して表示部２８の表示画面の中央部を使用して再生表示する。
【００５６】
また、表示する画像が縦位置撮影を示す姿勢情報が関連付けられた縦長画像であり、且つ、姿勢検出部１１４が縦位置の信号を出力していた場合は、図４（Ｂ）のように縦位置撮影で得た画像を縦位置に構えられた撮像装置１００の表示部２８の画面全域で再生表示する。
【００５７】
次に表示部２８に表示された画像に関連付けられている姿勢情報の縦、横情報を変更するか否かをユーザーが判断し、姿勢情報変更ボタン７０ｄの操作により選択される（ステップＡ２５）。姿勢情報の変更を行わないと判断された場合はシーケンスを終了し、十字キー７０ｃの操作によって次の画像が記録部２０２、２１２から読み出されて表示部２８に表示され、上記ステップＡ２１からの処理に戻る（ステップＡ３６）。
【００５８】
ステップＡ２５にて姿勢情報の縦、横情報を変更すると判断された場合は十字キー７０ｃを操作して画像を回転させることで縦長画像が横長画像として表示部２８に表示される。（ステップＡ２６）。ステップＡ２６で縦長画像が横画像になった所でセットボタン７０ｄを押し下げる事で姿勢情報がシステム制御回路５０によって更新され（ステップＡ２７）、縦長画像が横長画像に変更される（ステップＡ２８）。
【００５９】
次に、十字キー７０ｃの操作によって次の画像が記録部２０２、２１２から読み出されて表示部２８に表示され、上記ステップＡ２１からの処理に戻る（ステップＡ３６）。次に前記ステップＡ２１の設定がＯＦＦになっている場合は縦長画像、横長画像、撮像装置の姿勢に関係無く表示部２８の画面全域で画像は再生表示される（ステップＡ２９）。次にステップＡ２９の処理にて表示部２８に再生表示された画像に関連付けられている姿勢情報の縦、横情報を変更するか否かをユーザーが判断し、操作部７０の操作により選択される（ステップＡ３０）。
【００６０】
姿勢情報の変更を行わないと判断された場合は十字キー７０ｃの操作によって次の画像が記録部２０２、２１２から読み出されて表示部２８に表示され、上記ステップＡ２１からの処理に戻る（ステップＡ３６）。
【００６１】
ステップＡ３０にて姿勢情報の縦、横情報を変更するとユーザーが選択した場合、縦画像に姿勢情報を変更するには撮像装置を縦位置に保持することで姿勢検出部１１４は縦位置情報を出力し、システム制御回路５０は画像データに縦位置姿勢情報を関連付ける準備を行う（ステップＡ３１）。
【００６２】
ここで、画像を表示している表示部２８上に現在の撮像装置の上方向（天方向）や、画像に関連付けられている姿勢情報を図形やメッセージ等で明示し、セットボタン７０ｄを押すことで縦・横どちらの姿勢情報が設定されるかのかが分かるようにしてもよい。
【００６３】
更にセットボタン７０ｄを押し下げる事で姿勢情報がシステム制御回路５０によって更新され（ステップＡ３２）、縦画像に設定される（ステップＡ３４）。
【００６４】
また、横画像に設定するには撮像装置を横位置に保持することで姿勢検出部１１４は横位置情報を出力し、システム制御回路５０は画像データに横位置姿勢情報を関連付ける準備を行う（ステップＡ３１）。
【００６５】
更にセットボタン７０ｄを押し下げる事で姿勢情報がシステム制御回路５０によって更新され（ステップＡ３３）、横画像に設定される（ステップＡ３５）。
【００６６】
しかして、姿勢情報の変更はセットボタン７０ｄが押し下げられるまでは変更されないため、ユーザーは撮像装置の保持方向を適宜変えながら、且つ、全画面表示されている画像を確認しながら所望の画像方向が選択できる。
【００６７】
姿勢情報の更新後、十字キー７０ｃの操作によって次の画像が記録部２０２、２１２から読み出されて表示部２８に表示され、上記ステップＡ２１からの処理に戻る（ステップＡ３６）。
【００６８】
上記のような構成とすれば、撮像装置の姿勢に基づいた画像の回転がＯＦＦの場合は操作部の煩雑な操作が必要無く、且つ、ユーザーは常に全画面表示で画像を確認しながら撮像装置の姿勢と決定ボタンのみの操作で簡単に画像の縦、横姿勢情報を変更できる。
【００６９】
また、上記実施形態は画像表示部を有する撮像装置に適用したものであるが、本発明はこれに限定されるものではなく、電子手帳やＰＤＡ等の携帯情報端末、携帯テレビ受像機等の画像表示部を有した何らかの携帯機器であってもよい。
【００７０】
要は横長画像と縦長画像とが識別可能に記憶されたメモリと、このメモリに記憶されている画像を表示する、縦横比の異なる表示部とを備えた機器であれば、本発明を実施することができる。
【００７１】
上記実施形態ではユーザーが姿勢情報変更モード開始当初にメニューの中で撮像装置の姿勢に基づいた画像の回転のＯＮ、ＯＦＦを任意に設定したが、姿勢情報変更モードが開始された時点で自動に撮像装置の姿勢に基づいた画像の回転をＯＦＦするようにしてもよい。
【００７２】
上記実施例では撮像装置を横位置で保持した場合について説明したが、撮像装置を縦位置で保持した場合でも画像の表示方向が縦、横変わるのみで、操作は同一の手段で実施することが可能である。
【００７３】
上記実施形態は、縦長画像及び横長画像が静止画像である場合について説明したが、取扱う画像データは静止画像に限るものではなく、動画像であってもよい。更にメニューの中で撮像装置の姿勢に基づいた画像の回転がＯＦＦになっていた場合、姿勢情報の変更は撮影後毎のプレビュー時に行えるようにしてもよい。
【００７４】
姿勢情報の設定は記録部２０２、２１２に保存されている画像一枚毎、もしくは一旦保留を意味する縦、横以外の情報を画像に設定し、後から保留情報の付いている画像のみを呼び出して一括で設定するようにしてもよい。
【００７５】
撮像装置または撮像装置と接続している外部表示装置等で画像を再生している際、保留情報が設定されている画像が表示された場合は縦・横画像の設定を促す注意メッセージや図形等でユーザーへ警告表示が出るようにしてもよい。
【００７６】
以上、本発明の好ましい実施形態について説明したが、本発明はこれらの実施形態に限定されず、その要旨の範囲内で種々の変形及び変更が可能である。
【符号の説明】
【００７７】
２０  画像処理部、２２  メモリ制御回路、２４  画像表示メモリ、２８  画像表示部、
５０  システム制御回路、６１  モードダイアル、７０ａ  再生ボタン、
７０ｂ  姿勢情報変更ボタン、７０ｃ  十字キー、７０ｄ  セットボタン、
１００  撮像装置、１１４  姿勢検出部、２００  記録媒体、２０２  記録部、
２１０  記録媒体、２１２  記録部
【図１】
2016025483.tif 000003
【図２】
2016025483.tif 000004
【図３】
2016025483.tif 000005
【図４】
2016025483.tif 000006
【図５】
2016025483.tif 000007
【図６】
2016025483.tif 000008